(57)【要約】【課題】バックグランド受信の際、容易にユーザ所望の放送局から交通情報等の付加放送信号を得る。【解決手段】受信装置１０は、放送局毎の受信履歴を受信履歴情報として記憶する受信履歴記憶メモリ１５と、電源がオフであるか又は放送局以外のソースから音声信号が再生されている際、受信履歴メモリに記憶された受信履歴情報に応じて付加放送信号を受信するためバックグランド受信を行う放送局を選局する放送局選局手段とを有している。【選択図】図１
2007201700.tif 000002
【特許請求の範囲】
【請求項１】
複数の放送局から選択的に付加放送信号が多重化された放送信号を選局して受信する受信装置において、
前記放送局毎の受信履歴を受信履歴情報として記憶する受信履歴記憶手段と、
電源がオフであるか又は前記放送局以外のソースから音声信号が再生されている際、前記受信履歴記憶手段に記憶された受信履歴情報に応じて前記付加放送信号を受信するためバックグランド受信を行う放送局を選局する放送局選局手段とを有することを特徴とする受信装置。
【請求項２】
受信履歴記憶手段には受信履歴情報として少なくとも放送局毎の受信時間及び受信回数が記憶され、
放送局選局手段は、受信履歴情報に応じて放送局毎の優先順位を決定する優先順位決定機能と、
前記優先順位の順に前記放送局からの放送信号が受信可能であるか否かを判定する第１の受信可能判定機能と、
前記第１の受信判定機能によって最初に受信可能であると判定された放送局についてバックグランド受信を行う第１の選局機能とを有することを特徴とする請求項１記載の受信装置。
【請求項３】
放送信号に付加放送信号が多重化されている際には予め規定された付加情報コードが送信され、
第１の受信可能判定機能は前記付加情報コードがオフである際には当該放送局からの放送信号は受信不可であると判定するようにしたことを特徴とする請求項２記載の受信装置。
【請求項４】
受信履歴記憶手段には受信履歴情報としてさらに放送局毎に対応付けて同一の放送番組を放送する放送局の放送周波数が代替周波数コードとして記憶され、
受信可能判定機能は一つの放送局からの放送信号が受信不可であると判定すると、前記受信履歴記憶手段を検索して当該放送局に係る前記代替周波数コードで示される代替放送局が受信可能であるか否かを判定するようにしたことを特徴とする請求項２又は請求項３記載の受信装置。
【請求項５】
放送信号が受信可能な放送局に関する情報を受信可能放送局情報として記憶する受信可能局記憶手段を備え、
受信履歴記憶手段には受信履歴情報として少なくとも放送局毎の受信時間及び受信回数が記憶され、
放送局選局手段は、バックグランド受信を行う際、全放送周波数について順次走査して各放送周波数について受信可能であるか否かを判定して、受信可能であると当該放送周波数に係る放送局情報を前記受信可能放送局情報として前記受信可能記憶手段に記憶する第２の受信可能判定機能と、
受信履歴記憶手段に記憶された受信履歴情報に応じて放送局毎の優先順位を決定する優先順位決定機能と、
前記優先順位の順に前記受信履歴記憶手段に記憶された放送局と前記受信可能局記憶手段に記憶された放送局とに同一の放送局が存在するか否かを判定する同一放送局判定機能と、
前記同一放送局判定手段によって最初に同一の放送局が存在すると判定された放送局についてバックグランド受信を行う第２の選局機能とを有することを特徴とする請求項１記載の受信装置。
【請求項６】
放送信号には放送番組識別コードが備えられ、
受信履歴情報及び受信可能放送局情報にはそれぞれ前記放送番組識別コードが含まれており、
同一放送局判定手段は受信履歴記憶手段に記憶された放送番組識別コードと受信可能局記憶手段に記憶された放送番組識別コードが同一である際に同一の放送局が存在すると判定するようにしたことを特徴とする請求項５記載の受信装置。
【請求項７】
第２の選局機能は同一放送局判定手段によって同一の放送局が存在しないと判定されると、前記受信可能局記憶手段に記憶されたいずれか１つの放送局についてバックグランド受信を行うようにしたことを特徴とする請求項５記載の受信装置。
【請求項８】
放送信号に付加放送信号が多重化されている際には予め規定された付加情報コードが送信され、
第２の受信可能判定機能は前記付加情報コードがオフである際には当該放送局からの放送信号は受信不可である判定するようにしたことを特徴とする請求項５から請求項７のうちのいずれか１項記載の受信装置。
【請求項９】
受信履歴記憶手段には受信履歴情報として少なくとも放送局毎の受信時間及び受信回数が記憶され、
放送信号が受信可能な放送局に関する情報を受信可能放送局情報として記憶する受信可能局記憶手段を備え、
放送局選局手段は、第１の受信可能判定機能によって受信履歴記憶手段に記憶された放送局の全てが受信可能でないと判定されると全放送周波数について順次走査して各放送周波数について受信可能であるか否かを判定して、受信可能であると当該放送周波数に係る放送局情報を前記受信可能放送局情報として前記受信可能記憶手段に記憶する第２の受信可能判定機能と、
受信履歴記憶手段に記憶された受信履歴情報に応じて放送局毎の優先順位を決定する優先順位決定機能と、
前記優先順位の順に前記受信履歴記憶手段に記憶された放送局と前記受信可能局記憶手段に記憶された放送局とに同一の放送局が存在するか否かを判定する同一放送局判定機能と、
前記同一放送局判定手段によって最初に同一の放送局が存在すると判定された放送局についてバックグランド受信を行う第２の選局機能とを有することを特徴とする請求項２記載の受信装置。
【発明の詳細な説明】
【技術分野】
【０００１】
この発明は、交通情報等の付加放送信号が多重化された放送信号を受信する受信装置に関し、特に、放送信号以外の他のソースを再生中又は電源オフの際にユーザが必要とする付加放送信号を取得することのできる受信装置に関するものである。
【背景技術】
【０００２】
一般に、欧州で用いられているＲＤＳ（Ｒａｄｉｏ  Ｄａｔａ  Ｓｙｓｔｅｍ：ラジオデータシステム）等の放送形態では、ＦＭラジオ放送信号に交通情報等の付加放送信号が多重化されており、さらに、このＦＭラジオ放送信号にはデジタルデータ（以下ＲＤＳデータという）が多重化されている。このＲＤＳデータには、例えば、国識別コード及び地域コードを有するプログラム（放送番組）識別コード（以下ＰＩコードという）が備えられている。
【０００３】
さらに、ＲＤＳデータには、プログラムのジャンル（放送番組のタイプ）を識別するプログラムタイプコード（以下ＰＴＹコードという：このＰＴＹコードでは、例えば、クラッシック、ロック、ポピュラー等の複数のジャンル毎に個別のコードが付与される）、同一のプログラムを放送する他の放送局を知らせるための代替局周波数コード（以下ＡＦコードという）、及び放送局名コード（以下ＰＳコードという）が含まれており、ＰＩコードは１６ビット構成で最初の４ビットに国コードが割り当てられている。
【０００４】
また、ＲＤＳデータには、ＦＭラジオ放送ととともに交通情報（付加放送信号）を送信する放送局を識別するための同定する交通プログラム（ＴＰ）識別コード及び現在放送局によって送信されている交通情報（付加データ）を識別するための交通アナウンスメント（ＴＡ）コードも含まれており、これらＴＰ識別コード及びＴＡコードによってラジオ受信機（受信装置）を、交通情報等の付加放送信号を送信する放送局に同調させることができる。
【０００５】
この種のラジオ受信機を備えるオーディオ装置では、ラジオ受信機以外の他のソース（例えば、ＣＤプレーヤ）から音声信号を再生している際又は電源オフの際には、交通情報を送信している放送局（交通放送可能局）を監視するようにしている（つまり、交通放送可能局を監視して当該交通放送可能局に同調させている）（バックグランド受信）。そして、ＴＰ識別コード及びＴＡコードを監視して、交通情報が存在すると、自動的に他のソースから交通情報に切り替えるか又は電源をオンして交通情報を流すようにしている。
【０００６】
ところで、バックグランド受信の際に同調させる交通放送可能局を選局する際には、ラジオ受信機が最後に受信した放送局に同調させる等の手法が用いられている。しかしながら、最後に受信した放送局がユーザにとって不要であった場合に（ユーザにとって望まない放送を行っていた場合等）、ユーザが他のソースに切り替えるか又は電源オフすると、バックグランド受信では、ユーザが不要な放送局が選局されることになってしまい、ユーザ所望の放送局を選択することができない。
【０００７】
特に、バックグランド受信の際にはユーザが必要とする地域及び言語等に合った交通放送可能局であることが望ましいにも拘らず、多数の放送局が存在する欧州等ではユーザが選局する際に他地域及び他言語の放送局を選局してしまうことも多く、このような他地域及び他言語の放送局を最後に受信したとなると、バックグランド受信においては、この放送局が受信されることになって、交通情報等の付加放送信号が存在すると、いきなり他地域及び他言語の交通情報が流されることになってしまう。
【０００８】
バックグランド受信の際、ユーザ所望の放送局を選局するため、ＴＰ識別コード及びＴＡコードを伝送している又は伝送することが可能な放送局が見出されるまで各放送局から受信されるＲＤＳデータをサーチして、放送局のＲＤＳデータを監視して交通放送を行う放送局を見て出す際に、サーチに当たってラジオ帯域に亘る周波数の走査を行う前にメモリプリセットの中に保存された放送局を検査するようにしたものがある（例えば、特許文献１参照）。
【０００９】
【特許文献１】特開平１１−１５０４８７号公報（第３頁〜第４頁、第１図〜第４図）
【発明の開示】
【発明が解決しようとする課題】
【００１０】
従来の受信装置は以上のように構成されているので、つまり、バックグランド受信の際、予めユーザがプリセットした放送局についてＲＤＳデータをサーチして、交通情報等の付加放送信号を送信する放送局を見出すようにしているので、ユーザは予め所望の放送局をプリセットしておかなければならないという課題がある。
【００１１】
さらには、車載用受信装置において、所望の放送局をプリセットしておいたとしても、欧州のように各国に亘って走行すると、プリセットした放送局では役に立たないこともあり、バックグランド受信においてユーザ所望の交通情報等の付加放送信号を得ることが難しいという課題がある。
【００１２】
この発明は上記のような課題を解決するためになされたもので、バックグランド受信の際容易にユーザ所望の放送局から交通情報等の付加放送信号を得ることのできる受信装置を得ることを目的とする。
【課題を解決するための手段】
【００１３】
この発明に係る受信装置は、放送局毎の受信履歴を受信履歴情報として記憶する受信履歴記憶手段と、電源がオフであるか又は放送局以外のソースから音声信号が再生されている際受信履歴記憶手段に記憶された受信履歴情報に応じて付加放送信号を受信するためバックグランド受信を行う放送局を選局する放送局選局手段とを有することを特徴とする。
【発明の効果】
【００１４】
以上のように、この発明によれば、バックグランド受信を行う際に、受信履歴情報に応じて付加放送信号を受信するための放送局を選局するように構成したので、容易にユーザ所望の放送局から交通情報等の付加放送信号を得ることができるという効果がある。
【発明を実施するための最良の形態】
【００１５】
実施の形態１．
ここでは、受信装置として、ＲＤＳによるＦＭラジオ放送を受信するカーラジオ受信機部とＣＤプレーヤ等の音声ソースとを有する装置について説明する。図１において、実施の形態１に係る受信装置１０は、チューナ１１、多重データデコーダ１２、処理部１３、受信履歴メモリ（受信履歴記憶手段）１４、受信可能局メモリ（受信可能局記憶手段）１５、操作部１６、音声ソース（ＣＤプレーヤ等）１７、音声切り換え部１８、スピーカ１９、及びアンテナ２０を有しており、チューナ１１、多重データデコーダ１２、処理部１３、受信履歴メモリ１４、及び受信可能局メモリ１５によってカーラジオ受信機部が構成される。
【００１６】
チューナ１１はアンテナ２０を介して処理部１３で選択（選局）されたラジオ放送波を受信する。チューナ１１ではラジオ放送波を受信すると、この放送波を中間周波（ＩＦ）信号に変換して、ＩＦ信号を増幅した後ＩＦ信号を検波復調して復調信号として出力する。そして、復調信号は音声切り換え部１８及び多重データデコーダ１２に与えられる。
【００１７】
多重データデコーダ１２は復調信号中のＲＤＳデータを復調（復号化）して、処理部１３に与える。そして、処理部１３では、後述するようにして、ＲＤＳデータに応じて音声切り換え部１８を切り換え制御する。
【００１８】
また、ユーザが操作部１６によって受信機部又は音声ソース１７のいずれかを選択すると、処理部１３では音声切り換え部１８を切り換え制御して、スピーカ１９をチューナ１１又は音声ソース１７に接続する。そして、受信機部が選択されている際には、チューナ１１で受信された放送信号に係る音声信号がスピーカ１９から音声として出力され、音声ソース１７が選択されている際には、音声ソース１７で再生された音声信号がスピーカ１９から音声として出力される。
【００１９】
さらに、受信機部が選択されている際には、処理部１３は、操作部１６の選局操作によって受信した放送信号に係る放送局情報を受信履歴情報として受信履歴メモリ１４に記憶する。受信履歴情報を記憶するタイミング（記憶タイミング）として、例えば、ユーザの選局操作によって同調する周波数が変更された時点が用いられる。
【００２０】
なお、処理部１３が備えるＴＰサーチ機能によって放送局を選局した時点を前述の記憶タイミングとして用いるようにしてもよい。さらに、音声ソース１７に切り替えた際又は電源オフの際にその直前に受信していた放送局情報が受信履歴メモリ１４に記憶される。但し、ＡＦコードによって代替放送局をサーチするＡＦチェンジによって実質的に同一の放送番組を視聴する際には、同調周波数が変更されても、処理部１３は当該放送局情報（変更後の放送局情報）を受信履歴メモリ１４に記憶しない。
【００２１】
受信履歴メモリ１４には、受信履歴情報（放送局情報）として、例えば、受信した順番、放送周波数、ＰＩコード、ＡＦコードのリスト、受信時間、受信回数、及び受信要因（電源オン、ソース切り換え、マニュアル選局、自動選局、プリセット呼び出し、又はＴＰサーチ）が記憶される。
【００２２】
この際、受信時間が予め規定された時間以上の放送局情報を記憶するようにすれば、不用意に選局された放送局情報が受信履歴メモリ１４に記憶されることがなくなって、受信履歴メモリ１４のメモリ容量を有効に用いることができる。また、受信履歴メモリ１４に記憶される放送局情報の数が最大記憶数に達すると、その後受信メモリ１４に放送局情報を新たに記憶する際には、処理部１３は最も古い放送局情報を削除して、新たな放送局情報を受信履歴メモリ１４に記憶する。なお、処理部１３は車両走行中において後述するようにして受信機部で受信可能な放送局情報を受信可能局メモリ１５に記憶する。
【００２３】
次に動作について説明する。
図１及び図２を参照して、バックグランド受信について説明すると、音声ソース１７が選択されるか又は電源がオフされると、処理部１３はバックグランド受信を開始する（つまり、選局開始をする）。まず、処理部１３は受信履歴メモリ１４を検索して、放送局に対して優先順位の判定及び有効局数の判定を行う（ステップＳＴ１）。例えば、放送局毎の受信時間及び受信回数によって受信時間が長く受信回数の多い放送局を優先順位の高い放送局として、放送局毎に優先順位を付ける。つまり、ユーザが普段視聴している放送局は、その受信時間及び受信回数が多いから当然優先順位が高くなり、ユーザ所望の放送局が選局される機会が多くなる。
【００２４】
さらに、受信要因がＴＰサーチであると、ユーザの操作による選局ではないから、当該放送局は有効局から除外する。なお、受信要因がプリセット呼び出しであれば、ユーザが頻繁に受信する放送局であるから、優先度を高くするようにしてもよい。また、受信要因がマニュアル選局又は自動選局あれば、ユーザの操作によって受信して視聴した放送局であるから、優先度を高くするようにしてもよい。
【００２５】
続いて、処理部１３はチューナ１１を制御して、優先度の最も高い（１番目）の放送局の周波数を選局し（同調し：ステップＳＴ２）、当該放送局が受信可能であるか否かを判定する（ステップＳＴ３）。ステップＳＴ３においては、処理部１３は、例えば、所定の受信電界強度で放送信号が受信できたか否かを判定するとともに、当該放送局のＰＩコードを有するＲＤＳデータが受信可能であるか否かを判定する。そして、受信可能であると判定すると、処理部１３は当該放送局を発見局として選局し（ステップＳＴ４）、選局を終了する。
【００２６】
一方、優先度の最も高い放送局が受信可能でなければ、処理部１３は受信履歴メモリ１４中の全ての有効局について終了したか否かを判定して（ステップＳＴ５）、全ての有効局について終了していなければ、次に優先度の高い放送局の周波数を選局し（同調し：ステップＳＴ６）、ステップＳＴ３に戻る。ステップＳＴ５において、全ての有効局について終了していると、処理部１３は選局を終了する。
【００２７】
このようにして、受信履歴メモリ１４中の放送局情報に応じて優先度の高い放送局から順次選局を行って受信可能な放送局を見つけるようにしたから、バックグランド受信において、容易にユーザ所望の放送局から交通情報を得ることができる。
【００２８】
なお、交通情報をバックグランド受信する際においては、処理部１３はステップＳＴ３において、ＲＤＳデータ中のＴＰ識別コード又はＴＡコード（付加情報コード）がオンであるかを監視しており、ＴＰ識別コード及びＴＡコードがオフである際には、ステップＳＴ５に移行する。
【００２９】
さらに、ステップＳＴ３において受信可能でないと判定した際には、当該放送局情報に係るＡＦコードを参照して、代替放送局が受信可能であるか否かを判定するようにしてもよい。このようにすれば、優先度の高い放送局と同一の放送を確実に受信できることになる。つまり、優先度の高い放送局を確実に受信することが可能となる。
【００３０】
続いて、バックグランド受信の他の例について説明する。図１及び図３を参照して、バックグランド受信が開始されると、処理部１３は帯域内の全周波数（全放送周波数）について走査を行うため、チューナ１１を制御して、帯域内の全放送周波数を順次選局する（同調する：ステップＳＴ７）。そして、処理部１３では各放送周波数について受信可能であるか否かを判定する（ステップＳＴ８）。ここでは、処理部１３は、所定の受信電界強度で放送信号が受信できたか否かを判定するとともに、ＲＤＳデータが受信可能であるか否かを判定する。
【００３１】
受信可能であると、処理部１３は当該放送周波数、を当該放送周波数の受信電界強度、及び当該放送周波数に係る受信放送局のＰＩコードを受信可能局情報として受信可能局メモリ１５に記憶して（ステップＳＴ９）、帯域内の全周波数について走査が終了したか否かを判定する（ステップＳＴ１０）。ステップＳＴ１０において、帯域内の全周波数について走査が終了していないと、処理部１３はチューナ１１を制御して帯域内の次の放送周波数を選局して（ステップＳＴ１１）、ステップＳＴ８に戻る。
【００３２】
なお、ステップＳＴ８において、受信不可であると判定すると、処理部１３はステップＳＴ１０に移行する。また、交通情報をバックグランド受信する際には、ステップＳＴ８において、処理部１３はＲＤＳデータ中のＴＰ識別コード又はＴＡコードがオンであるかを監視して、ＴＰ識別コード及びＴＡコードがオフである際には、ステップＳＴ１０に移行する。さらに、ステップＳＴ９において同一のＰＩコードを有する放送局が複数存在する際には、処理部１３は、最も受信電界強度が高い放送周波数に係る放送局について受信可能局情報を受信可能局メモリ１５に記憶する。
【００３３】
ステップＳＴ１０において、帯域内の全周波数について走査が終了したと判定すると、処理部１３は受信履歴メモリ１４に記憶された放送局情報に応じて各放送局の優先順位及び有効局数の判定を行って（図２で説明したステップＳＴ１と同様の判定を行う）、さらに最も優先順位の高い（１番目）の放送局に係るＰＩコードを受信履歴メモリ１４から履歴ＰＩコードとして得る（ステップＳＴ１２）。
【００３４】
続いて、処理部１３は受信可能局メモリ１５から履歴ＰＩコードと同一のＰＩコードを有する受信可能局（放送局）を検索して（ステップＳＴ１３）、受信可能局メモリ１５に履歴ＰＩコードと同一のＰＩコードを有する受信可能局が存在するか否かを判定する（ステップＳＴ１４）。受信可能局メモリ１５に履歴ＰＩコードと同一のＰＩコードを有する受信可能局が存在すると、処理部１３はチューナ１１を制御して当該受信可能局を発見局として選局し（ステップＳＴ１５）、選局を終了する。
【００３５】
一方、ステップＳＴ１４において、受信可能局メモリ１５に履歴ＰＩコードと同一のＰＩコードを有する受信可能局が存在しないと、処理部１３は受信履歴メモリ１４中の全ての有効局について終了したか否かを判定して（ステップＳＴ１６）、全ての有効局について終了していないと、処理部１３は受信履歴メモリ１４から次に優先度の高い放送局に係るＰＩコードを履歴ＰＩコードとして読み出す（ステップＳＴ１７）。そして、処理部１３はステップＳＴ１３に移行する。
【００３６】
一方、ステップＳＴ１６において全ての有効局について終了すると、処理部１３は受信可能局メモリ１５に記憶された受信可能局情報からいずれかの放送局を選択し（ステップＳＴ１８）、チューナ１１を制御して当該放送局からの放送信号をバックグランド受信して、選局を終了する。
【００３７】
なお、全ての有効局において履歴ＰＩコードを有する受信可能局が存在しない際には、例えば、ＰＩコード中の地域コードをマスクして再度検索を行うようにしてもよい。このようにすれば、優先度の高い放送局が受信できない場合であっても、当該放送局の系列局を受信できる可能性が高くなる。さらに、ステップＳＴ１８において、受信可能局メモリ１５に記憶された受信可能局情報からいずれかの放送局を選択する際、受信履歴メモリ１４中の優先度の高い放送局のＰＩコード中の国コードと一致するＰＩコードを受信可能局メモリ１５から検索して、選局を行うようにしてもよい。このようにすれば、ユーザの自国と言語の異なる放送局を受信してしまうという度合いを低減できる。
【００３８】
このようにして、受信可能な放送局を受信可能メモリに記憶して、受信履歴メモリ１４に記憶された受信履歴情報に応じて受信可能局を選択するようにしたので、バックグランド受信においてユーザ所望の放送局から交通情報を得ることができる。
【００３９】
次に、バックグランド受信のさらに他の例について説明する。図１及び図４を参照して、ここでは、図２及び図３に示すステップと同一のステップについては同一の参照番号を付し説明を省略する。図２に示すバックグランド受信においては、ステップＳＴ５で受信履歴メモリ１４内の全ての有効局が終了すると、選局終了となったが、図４に示す例では、ステップＳＴ５において全ての有効局が終了すると、処理部１３はステップＳＴ７に移行してバックグランド受信処理を続行することになる。
【００４０】
このようにして、ステップＳＴ５で全ての有効局が終了した際に、ステップＳＴ７に移行して処理を続行するようにすれば、受信履歴メモリ１４内に受信可能な放送局が存在しない場合であっても、新たに受信可能な放送局を探し出すことができ、その結果、ユーザはバックグランド受信において所望の放送局から交通情報を取得できる確率が高くなる。
【００４１】
なお、上述の記載から明らかなように、チューナ１１、多重データデコーダ１２、及び処理部１３が集合的に放送局選局手段として機能し、ステップＳＴ１が優先順位決定機能に対応する。また、ステップＳＴ２、ＳＴ３、ＳＴ５、及びＳＴ６が第１の受信可能判定機能に対応し、ステップＳＴ４が第１の選局機能に対応する。
【００４２】
さらに、ステップＳＴ７乃至ＳＴ１１が第２の受信可能判定機能に対応し、ステップＳＴ１２が優先順位決定機能に対応する。そして、ステップＳＴ１２乃至ＳＴ１４とＳＴ１６及びＳＴ１７が同一放送局判定機能と対応し、ステップＳＴ１５及びＳＴ１８が第２の選局機能に対応する。
【００４３】
以上のようにこの実施の形態１によれば、受信履歴メモリ１４に記憶された受信履歴情報に応じて放送局毎の優先順位を決定して、優先順位の順に受信可能である放送局を判定し、最初に受信可能であると判定された放送局についてバックグランド受信を行うように構成したので、容易にユーザ所望の放送局についてバックグランド受信を行うことができるという効果がある。
【００４４】
この実施の形態１によれば、ＡＦコードで示される代替放送局が受信可能であるか否かを判定して、受信可能であると代替放送局からバックグランド受信を行うように構成したので、優先度の高い放送局と同一の放送を確実に受信できるという効果がある。
【００４５】
この実施の形態１によれば、帯域の全放送周波数について順次走査して受信可能であると当該放送周波数に係る放送局情報を受信可能局メモリ１５に記憶して、優先順位の順に受信履歴メモリ１４に記憶された放送局と受信可能局メモリに記憶された放送局（ＰＩコード）とに同一の放送局（ＰＩコード）が存在する否かを判定し、同一の放送局が存在すると判定された放送局についてバックグランド受信を行うように構成したので、容易にユーザ所望の放送局についてバックグランド受信を行うことができるという効果がある。
【００４６】
この実施の形態１によれば、同一の放送局（ＰＩコード）が存在しないと判定されると、受信可能局メモリに記憶されたいずれか１つの放送局についてバックグランド受信を行うように構成したので、確実にバックグランド受信を行うことができるという効果がある。
【００４７】
この実施の形態１によれば、受信履歴メモリ１４に記憶された放送局の全てが受信可能でない判定すると、帯域の全放送周波数について順次走査して受信可能であると当該放送周波数に係る放送局情報を受信可能局メモリ１５に記憶して、優先順位の順に受信履歴メモリ１４に記憶された放送局と受信可能局メモリに記憶された放送局（ＰＩコード）とに同一の放送局（ＰＩコード）が存在する否かを判定し、同一の放送局が存在すると判定された放送局についてバックグランド受信を行うに構成したので、確実に容易にユーザ所望の放送局についてバックグランド受信を行うことができるという効果がある。
【図面の簡単な説明】
【００４８】
【図１】この発明の実施の形態１による受信装置の構成を示すブロック図である。
【図２】図１に示す受信装置におけるバックグランド受信の一例を説明するためのフローチャートである。
【図３】図１に示す受信装置におけるバックグランド受信の他の例を説明するためのフローチャートである。
【図４】図１に示す受信装置におけるバックグランド受信のさらに他の例を説明するためのフローチャートである。
【符号の説明】
【００４９】
１０  受信装置、１１  チューナ、１２  多重データデコーダ、１３  処理部、１４  受信履歴メモリ、１５  受信可能局メモリ、１６  操作部、１７  音声ソース（ＣＤプレーヤ等）、１８  音声切り換え部、１９  スピーカ、２０  アンテナ。
【図１】
2007201700.tif 000003
【図２】
2007201700.tif 000004
【図３】
2007201700.tif 000005
【図４】
2007201700.tif 000006